(57)【特許請求の範囲】
【請求項１】
液透過性の肌当接面、液不透過性の非肌当接面、及び該肌当接面と該非肌当接面との間に介在された液保持性の吸収部を有し、実質的に縦長に形成された吸収性物品において、
上記吸収部の非肌当接面側には、弾性部材が、該吸収部と該非肌当接面との間に位置するように接着されて配されており、
上記弾性部材は、吸収性物品の長手方向において、左右一対の側縁部と中央部とに区分されており、該側縁部の剛性と該中央部の剛性とが異なり、
上記肌当接面、上記吸収部、上記弾性部材及び上記非肌当接面は、それぞれ溝により一体化されている、
ことを特徴とする吸収性物品。
【請求項２】
上記側縁部の剛性が上記中央部の剛性より大きいことを特徴とする請求項１記載の吸収性物品。
【請求項３】
上記吸収部の巾の長さは、上記弾性部材の巾の長さ以下であることを特徴とする請求項１記載の吸収性物品。
【請求項４】
上記側縁部の剛性と上記中央部の剛性との比（側縁部の剛性／中央部の剛性）は、１．２以上であることを特徴とする請求項１記載の吸収性物品。
【請求項５】
上記弾性部材のバルク復元力は、１０〜５０ｃＮであることを特徴とする請求項１記載の吸収性物品。
【発明の詳細な説明】
【０００１】
【発明の属する技術分野】
本発明は、フィット性に優れ、ヨレ防止性及びもれ防止性に優れた、使い捨ておむつ、生理用ナプキン、失禁パッド等の吸収性物品に関する。
【０００２】
【従来の技術及び発明が解決しようとする課題】
従来より、吸収性物品としては、液透過性の肌当接面、液不透過性の非肌当接面、及び該肌当接面と該非肌当接面との間に介在された液保持性の吸収部を有し、実質的に縦長に形成された、生理用ナプキンなどが広く用いられている。
しかし、このような吸収性物品は、フラット（平坦）な形態であったため、装着時において装着箇所への密着性に劣り、フィット性が悪い、ヨレたり、もれたりする等の問題があった。
【０００３】
そこで、吸収性物品に、弾性ないし弾力性をもたせることで、ヨレ難くし、湾曲させて、密着性を向上させ、フィット性や吸収性能を向上させるべく、種々の提案がなされている（特開昭５９−２２５０５８号公報、特開平２−１１１３８号公報、特開平６−５４８７９号公報、特開平６−３１９７６９号公報及び特開平６−２３７９５６号公報等）。
しかし、これらの提案では、未だ上述の問題が十分に解消されておらず、吸収性物品が股間に装着され横からの変形力を受けた時に、装着された吸収性物品は様々な形状に変形し、フィット性及びヨレ防止性能が不充分であったり、違和感が増大する場合がある等の問題があった。
このため、違和感がなく、よりフィット性に優れ、ヨレ防止力の高い吸収性物品の開発が要望されている。
【０００４】
従って、本発明の目的は、フィット性に優れ、ヨレ防止性及びもれ防止性に優れ、更には、装着時の違和感のない装着性の良好な吸収性物品を提供することにある。
【０００５】
【課題を解決するための手段】
本発明者らは、上記課題を解決すべく鋭意検討した結果、一対の長手方向側縁部と長手方向中央部とで、剛性の異なる弾性部材を用いてなる吸収性物品が、上記目的を達成しうることを知見した。
【０００６】
本発明は、上記知見に基づいてなされたものであり、液透過性の肌当接面、液不透過性の非肌当接面、及び該肌当接面と該非肌当接面との間に介在された液保持性の吸収部を有し、実質的に縦長に形成された吸収性物品において、上記吸収部の非肌当接面側には、弾性部材が、該吸収部と該非肌当接面との間に位置するように接着されて配されており、上記弾性部材は、吸収性物品の長手方向において、左右一対の側縁部と中央部とに区分されており、該側縁部の剛性と該中央部の剛性とが異なり、上記肌当接面、上記吸収部、上記弾性部材及び上記非肌当接面は、それぞれ溝により一体化されている、ことを特徴とする吸収性物品を提供するものである。
【０００７】
また、本発明は、上記側縁部の剛性が上記中央部の剛性より大きい上記吸収性物品を提供するものである。
また、本発明は、上記吸収部の巾の長さは、上記弾性部材の巾の長さ以下である上記吸収性物品を提供するものである。
また、本発明は、上記側縁部の剛性と上記中央部の剛性との比（側縁部の剛性／中央部の剛性）は、１．２以上である上記吸収性物品を提供するものである。
また、本発明は、上記弾性部材のバルク復元力は、１０〜５０ｃＮである上記吸収性物品を提供するものである。
【０００８】
【発明の実施の形態】
以下、本発明の一形態を図面を参照して更に詳述する。
ここで、図１は、本発明の吸収性物品の一形態としての生理用ナプキンを示す一部破断斜視図であり、図２は、図１のII−II断面図である。また、図３は、図１に示す生理用ナプキンを使用した状態での幅方向断面図である。また、図４は、本発明において用いられる弾性部材の他の形態を示す幅方向断面図であり、図５は、本発明において用いられる弾性部材の他の形態を示す平面図である。
【０００９】
図１及び図２に示す本形態の生理用ナプキン１は、液透過性の肌当接面２、液不透過性の非肌当接面３、及び該肌当接面２と該非肌当接面３との間に介在された液保持性の吸収部４を有し、実質的に縦長に形成されている。
【００１０】
そして、上記肌当接面２は、液透過性を有する表面シート２０により構成されている。該表面シートとしては、通常吸収性物品に用いられているものを特に制限されることなく用いることができ、例えば、不織布、開孔フィルム、メッシュ等が挙げられ、その材質、製法、坪量、厚さ等についても特に制限されることはない。
【００１１】
また、上記非肌当接面３は、液不透過性を有する裏面シート３０により構成されている。該裏面シートとしては、通常吸収性物品に用いられているものを特に制限されることなく用いることができ、例えば、液不透過性のポリエチレンフィルム、液不透過性の透湿シート、サイズ処理した防水紙及びこれらの複合材等が挙げられ、その材質、製法、坪量、厚さ等についても特に制限されることはない。
【００１２】
而して、本形態においては、図１及び２に示すように、上記吸収部４は、弾性部材５０が接着されており、上記弾性部材５０は、吸収性物品の長手方向において、一対の側縁部５１，５１と中央部５２とに区分されており、該左右両側縁部５１，５１の剛性と該中央部５２の剛性とが異なる。
【００１３】
更に詳述すると、上記側縁部５１，５１の剛性は、上記中央部５２の剛性よりも大きくなっている。
具体的には、本形態においては、上記側縁部５１，５１の剛性と上記中央部５２の剛性との比（側縁部５１の剛性／中央部５２の剛性）は、１より大きく、好ましくは１．２以上であり、更に好ましくは１．３〜１０である。
上記剛性の比が１のとき、即ち、両者の剛性が同じであると、吸収性物品を股間に装着した時、後述するように所定の可撓軸が形成され、様々な装着形状をとってしまうため、フィット性に劣る。
【００１４】
ここで、上記剛性とは、下記の如くして測定されるものであり、具体的には、上記側縁部５１の剛性は、０．０００５〜０．０２ｃＮ・ｃｍであるのが好ましく、上記中央部の剛性は、０．００１〜０．０１ｃＮ・ｃｍであるのが好ましい。
（剛性の測定法）
上記不織布を縦２０ｃｍ×横１０ｃｍにカットし、これを試料片として用い、カトーテック製のＫＥＳ−ＦＢ２（商品名）を用いて、曲げ曲率に対する曲げモーメントの測定を行った。
試料片の長辺の両サイドをチャックに固定し（チャック間距離約１ｃｍ）、曲率増加速度（曲げ変形速度）０．５ｃｍ／ｓｅｃで、曲率が２．５ｃｍ-1になるまで変形させた後、曲率を１．５ｃｍ-1まで戻した（回復させた）。このときの曲げモーメントを測定し、これ曲げ剛性の値とした。尚、試料片の長辺の長さが２０ｃｍより短い場合には、２０ｃｍの長さに換算したものを曲げ剛性の値とした。
【００１５】
上記弾性部材５０について、更に詳述すると、該弾性部材５０は、図２に示すように、上層弾性部材５０ａの長手方向の左右両端部の下方に、該上層弾性部材５０ａと同一又は異種の下層弾性部材５０ｂが貼り合わされている。そして、本形態においては上層弾性部材５０ａと下層弾性部材５０ｂとは、接着剤により貼り合わされているが、この他、圧着溝、エンボス、熱融着等の手法を用いて接着してもよい。
上述したように、本形態においては、上記側縁部５１は、上層弾性部材５０ａに下層弾性部材５０ｂが貼り合わされてなる、高剛性領域であり、上記中央部５２は、下層弾性部材５０ｂが貼り合わされていない上層弾性部材５０ａのみからなる、低剛性領域である。
【００１６】
上記弾性部材５０は、図１及び２に示すように、本形態の生理用ナプキン中において、上記吸収部４と、該吸収部４の非肌当接面３側において接着されている。即ち、上記弾性部材５０は、上記吸収部４と上記非肌当接面３との間に位置するように、該吸収部４に接着されて配されている。
この際用いられる接着剤としては、通常吸収性物品に用いられるものであれば、特に制限なく用いることができる。
【００１７】
また、本形態においては、図１及び２に示すように、溝８が形成されており、これにより、上記表面シート２０からなる上記肌当接面２、上記吸収部４、上記弾性部材５０及び上記裏面シート３０からなる上記非肌当接面３とがそれぞれ、一体化されている。該溝８が形成されているため、上記弾性部材５０が、吸収部４などの他の部材と強固に一体化されている。
上記溝８は、通常、生理用ナプキンに設けられている、防漏性を向上するための溝と同様のものであり、特に制限されない。
【００１８】
尚、上記弾性部材５０の上記吸収部４への接着方法は、接着剤による接着のみならず、例えば、エンボス、熱融着等の手法を用いて接着することができる。
【００１９】
上記弾性部材は、例えば、発泡材シート、不織布及びフィルム等により形成される。
該発泡材シートの材質としては、例えば、ポリエチレン、ポリプロピレン、ポリブチレン、塩化ビニル、エチレン酢酸ビニル、エチレン−メチルアクリレート共重合体、ポリエステル、ポリウレタン、シリコンエラストマー、ポリビニルアルコールスポンジ及びセルローススポンジ等が挙げられる。また、該不織布の材質としては、ポリエチレン、ポリプロピレン、ポリブチレン、ポリエステル等の合成繊維等が挙げられる。更に上記フィルムの材質としては、ポリエチレン、ポリブチレン、ポリエステル等が挙げられる。
【００２０】
上記弾性部材のバルク復元力は、２ｃＮ以上であることが好ましく、１０〜５０ｃＮであることが更に好ましい。該復元力が２ｃＮ未満であるとナプキンのヨレ防止効果が小さいことがあるため好ましくない。
尚、本明細書において、上記「バルク復元力」とは、７５％（圧縮方向における試料の初期厚みに対して７５％）圧縮後、２５％（圧縮方向における試料の初期厚みに対して２５％）変形時における回復力をいい、より詳細には、下記の如くして測定されるものである。
（バルク復元力の測定法）
弾性部材を３０．０ｍｍ×１５０．０ｍｍの大きさに切断し、これを試料とする。この試料の長手方向両端を２ｍｍ重ね合わせ、輪状とした後、テンシロンＲＴＭ−２５〔（株）東洋ボールドウィン製〕の試料台に試料の長手方向（一面）を下面にし設置する。設置後、圧縮試験モードにて、測定速度１０ｍｍ／ｍｉｎで試料を７５％（圧縮方向における試料の初期厚みに対して７５％）圧縮させた後、２５％（圧縮方向における試料の初期厚みに対して２５％）圧縮まで回復させ、この時の回復力を測定し、これをバルク復元力とする。
【００２１】
また、上記弾性部材の厚さａ（本形態においては上層弾性部材５０ａのみの厚さ、図２参照）は、０．１〜７．０ｍｍであることが好ましく、０．５〜５ｍｍであることが更に好ましい。該厚さが０．１ｍｍ未満であると充分な復元力が得られないことがあり、７．０ｍｍを超えるとナプキンとしての厚みが厚すぎ、装着時に違和感を感じることがあるため好ましくない。
【００２２】
また、上記吸収部４は、吸収体４０により構成されている。該吸収体４０としては、特に制限されるものではないが、吸収シートを用いることが好ましい。
該吸収シートとしては、特に、親水性繊維、熱溶融性接着繊維、紙力補強剤、及び高吸収性ポリマーを乾燥複合一体化したシートが好ましく用いられる。即ち、上記吸収部４としては、一枚の吸収シートからなる吸収体４０が好ましく用いられる。
このような吸収シートからなる吸収体４０により上記吸収部４０を形成することにより、上記弾性部材５０と上記吸収部４０との一体性をより向上させることができると共に、上記弾性部材５０の応力を良好に反映させることができる。従って、後述するように、良好に湾曲させることができ、フィット性の向上をより図ることができる。
【００２３】
上記吸収シートとしては、上述の材料からなる通常の吸収シートを適宜用いることができるが、上記親水性繊維の例としては、パルプ、レーヨン、綿等のセルロース繊維やポリエチレン、ポリプロピレン、ポリエステル等の合成繊維を界面活性剤で親水化処理したもの等が挙げられ、上記熱溶融性接着繊維の例としては、ポリエチレン繊維、ポリプロピレン繊維、ポリエチレンテレフタレート繊維、ポリエチレン／ポリエチレンテレフタレート複合繊維及び熱水に溶解して接着性を示すポリビニルアルコール繊維等が挙げられ、上記紙力補強剤の例としては、ポリアミン、エピクロルヒドリン繊維、ジアルデヒドデンプン、カイメン、カルボキシメチルセルロース等が挙げられ、上記高吸収性ポリマーの例としては、デンプン、架橋カルボキシメチル化セルロース、アクリル酸又はアクリル酸アルカリ金属塩の重合体又は共重合体等が挙げられる。また、上記吸収シートにおいて、各材料の配合割合などは任意であるが、上記高吸収性ポリマーの配合量は、散布坪量で２０〜７０ｇ／ｍ2 とするのが好ましい。
【００２４】
また、上記吸収シートの厚さｂ（図２参照）は、０．３〜１．５ｍｍであることが好ましく、０．５〜１．２ｍｍであることが更に好ましい。上記厚さが０．３ｍｍ未満であると、液を吸収する能力が乏しく好ましくなく、１．５ｍｍを超えると、吸収シートが硬くなりすぎたり、吸収性物品が厚くなりすぎ、違和感となる場合があり好ましくない。
【００２５】
本形態の生理用ナプキンは、例えば、下記の如くして製造することができる。即ち、常法に準じて製造した上記吸収シートからなる上記吸収体４０及び上層弾性部材５０ａと下層弾性部材５０ｂとが貼り合わされてなる上記弾性部材５０を、接着剤を介して貼り合わせる。そして、該弾性部材５０が貼り合わされてなる該吸収体４０を、常法に準じて、裏面シート３０及び表面シート２０で覆い、更に、エンボス処理を施すことにより上記溝８を形成することにより、上記生理用ナプキンを製造することができる。
【００２６】
本形態の生理用ナプキンは、上述の如く形成された上記弾性部材５０を上記吸収部４に接着してなるため、図３に示すように、その使用時において肌当接面２側に向けて凸形状を誘導し易く（即ち、所定の可撓軸を介して凸形状を形成するように撓み易く）、使用時に良好に巾方向に湾曲する。このため、フィット性に優れ、ヨレ防止性及びもれ防止性にも優れ、更には装着感も良好なものである。
また、上記側縁部５１の剛性の方が上記中央部５２の剛性に比して高くなされているので、上述の肌当接面２側に向けた凸形状をより誘導しやすくなされている。
更に、本形態においては、上記弾性部材５０が上記吸収部４に十分強く接着されているため（接着剤により接着されている溝８を形成しているため）、特に、弾性部材がヨレないばかりでなく、吸収部もヨレがなく、フィット性に優れ、もれ防止性に優れている。
【００２７】
次に、図４及び５を参照して本発明において用いられる弾性部材の他の形態について詳述する。ここで、特に詳述しない点については、上記弾性部材５０と同様である。
【００２８】
図４に示す形態の弾性部材６０は、その長手方向において左右一対の側縁部６１と中央部６２とに区分されており、該左右両側縁部６１が、弾性部材６０の左右両側縁部分を下方に折り返して形成されている。
このため、該左右両側縁部６１は、該中央部６２よりも剛性が大きくなっている。
従って、上記側縁部６１は、図４に示すように、側縁部分を１８０゜の折り返してなり、弾性部材が二重に重ねられている。
【００２９】
また、図５に示す形態の弾性部材７０は、その長手方向において左右一対の側縁部７１と中央部７２とに区分されており、該中央部７２は、多数の開孔が形成されて柔軟化されている。このため、該側縁部７１は、該中央部７２よりも剛性が大きくなっている。
【００３０】
上記中央部７２に多数の開孔を形成する方法としては、特に制限されず公知のフィルムの開孔形成方法を用いることができる。また、該開孔の大きさ、形、単位面積当たりの開孔数等に特に制限されないが、該開孔の好ましい大きさは、孔径０．５〜１０ｍｍであり、好ましい単位面積当たりの開孔数は、１〜１００個／ｃｍ2 である。また、開孔の設けられた上記中央部７２の坪量は、２０〜１００ｇ／ｃｍ2 であるのが好ましい。
【００３１】
一方、上記中央部７２にエンボス処理する方法としては、特に制限されないが、表面に多数のドット状の凸部が設けられてなる彫刻ロールと硬質ゴムや金属ロールなどからなる受けロールとを用いて、加熱エンボス処理する方法等が挙げられる。
この際、上記凸部の大きさは、１〜１００ｍｍ2 であるのが好ましく、単位面積当たりの該凸部の数は、１〜５０個／ｃｍ2 であるのが好ましい。
【００３２】
尚、本発明の吸収性物品は、上述の形態には何ら制限されるものではなく、本発明の趣旨を逸脱しない範囲で種々変更が可能である。
例えば、上記中央部を高剛性領域とし、上記側縁部を低剛性領域とすることもできる。
また、本発明の吸収性物品は、実質的に縦長に形成されていればよく、通常の生理用ナプキン等と同様に使用できるように形成されていれば、その大きさ、形状、厚さ等には特に制限されない。
更に、本発明の吸収性物品は、生理用ナプキン以外に、その他大人用又は乳幼児用の使い捨てオムツ、失禁パッド等、吸収性物品の用途に応じて所望の形態に適用できる。
また、上記弾性部材として不織布を用いる場合には、側縁部の繊維密度を高くし、中央部の繊維密度を低くすることにより、両者の剛性を異なるようにいてもよい。
更に、必要に応じて、吸収性物品におけるヨレ易い箇所の弾性部材の剛性を高くすることもできる。
また、上記弾性部材が液透過性である場合には、上記吸収部の肌当接面側に接着してもよい。
【００３３】
【実施例】
以下、本発明を実施例及び比較例により更に具体的に説明するが、本発明はこれらに限定されるものではない。
【００３４】
〔実施例１〜３及び比較例１〕
弾性部材として、それぞれ〔表１〕に示す材料を用いて、図１〜３に示す吸収性物品としての生理用ナプキンを製造した。
そして、得られた生理用ナプキンについて、下記のナプキン性能について評価した。その結果を〔表１〕に示す。
【００３５】
＜ナプキン性能＞
＜ヨレ率＞
実施例および比較例で得られた生理用ナプキンに予め馬脱繊維血８ｇを注入し、脚部が前後に動く動的人体モデルに装着して６０分歩行させる。この後、ナプキンを静かに外してナプキンの幅の最小値を測定する。これを装着前のナプキンの幅と比較し、下記〔数１〕からヨレ率を算出する。測定は５回行い、その平均値をヨレ率とする。概略の目安として、実使用でヨレにくいナプキンの本測定法でのヨレ率は２５％以下の値となることが多く、ヨレやすいナプキンでは３０％以上の値となることが多い。
【００３６】
【数１】
0003737251.tif 000002
【００３７】
＜使用評価（ヨレにくさ）＞
モニター女性３５人にそれぞれのナプキンを２時間ずつ装着してもらい、そのヨレにくさについて、以下の表現のうち最も自分の気持ちに近い数字を選んでもらった。
１・・・ヨレにくい
２・・・ややヨレにくい
３・・・どちらともいえない
４・・・ややヨレやすい
５・・・ヨレやすい
この評価の平均値をヨレにくさとする。評価結果は、値が小さい（１に近い）程ヨレにくく、大きい（５に近い）程ヨレやすいことを意味している。
【００３８】
【表１】
0003737251.tif 000003
【００３９】
【発明の効果】
本発明の吸収性物品は、フィット性に優れ、ヨレ防止性及びもれ防止性に優れた使い捨ておむつ、生理用ナプキン、失禁パッド等の吸収性物品である。
【図面の簡単な説明】
【図１】図１は、本発明の吸収性物品の一形態としての生理用ナプキンを示す一部破断斜視図である。
【図２】図２は、図１のII−II断面図である。
【図３】図３は、図１に示す生理用ナプキンを使用した状態での幅方向断面図である。
【図４】図４は、本発明において用いられる弾性部材の他の形態を示す幅方向断面図である。
【図５】図５は、本発明において用いられる弾性部材の他の形態を示す平面図である。
【符号の説明】
１  生理用ナプキン
２  肌当接面
３  非肌当接面
４  吸収部
８  溝
２０  表面シート
３０  裏面シート
４０  吸収体
５０  弾性部材
５０ａ  上層弾性部材
５０ｂ  下層弾性部材
５１  側縁部
５２  中央部
６０  弾性部材
６１  側縁部
６２  中央部
７０  弾性部材
７１  側縁部
７２  中央部
【図１】
0003737251.tif 000004
【図２】
0003737251.tif 000005
【図３】
0003737251.tif 000006
【図４】
0003737251.tif 000007
【図５】
0003737251.tif 000008